(57)【要約】【課題】パワーセーブ機能を備えた印刷装置において、電源切断時の印刷装置の状態に関わらず、保持時間を一定にする事を課題とする。更に、原価上昇する事なく、保持時間を延長する事を課題とする。【解決手段】上記課題は、受信データに基づいて印刷出力を行うものであって、一定時間データを受信しない場合に各部への電源供給を切断するパワーセーブ機能を備え、電源切断の監視機能を有し、電源切断時に印刷量または消耗品の使用量等を格納する為の不揮発性メモリを有する印字装置において、電源切断監視機能により電源切断を検出した際に、パワーセーブモードに移行することにより達成できる。【選択図】　　図１
2004122431.tif 000002
【特許請求の範囲】
【請求項１】
受信データに基づいて印刷出力を行うものであって、一定時間データを受信しない場合に各部への電源供給を切断するパワーセーブ機能を備え、電源切断の監視機能を有し、電源切断時に印刷量または消耗品の使用量等を格納する為の不揮発性メモリを有する印刷装置において、
電源切断監視機能により電源切断を検出した際に、にパワーセーブモードに切り替えることを特徴とする印刷装置の電源制御方法。
【請求項２】
受信データに基づいて印刷出力を行うものであって、一定時間、データを受信しない場合に各部への電源供給を切断するパワーセーブ機能を備え、電源切断の監視機能を有し、電源切断時に上位装置へ電源切断を報告する機能を備えた印刷装置において、
電源切断監視機能により電源切断を検出した際に、パワーセーブモードに切り替える事を特徴とする印刷装置の電源制御方法。
【請求項３】
請求項１記載の印刷装置の電源制御方法であって、
各部への電源供給有無の組み合わせにより複数種のパワーセーブモードを有し、電源切断時に任意のパワーセーブモードに切り替える事を特徴とする印刷装置の電源制御方法。
【請求項４】
請求項２記載の印刷装置の電源制御方法であって、
各部への電源供給有無の組み合わせにより複数種のパワーセーブモードを有し、電源切断時に任意のパワーセーブモードに切り替える事を特徴とする印刷装置の電源制御方法。
【発明の詳細な説明】
【０００１】
【発明の属する技術分野】
本発明は、パワーセーブ機能を備えた印刷装置に関するものである。
【０００２】
【従来の技術】
従来のパワーセーブ機能を備えた印刷装置の場合、パワーセーブ中は各部への電源供給を切断し、消費電力の低減を図っている。（特許文献１参照）
また、パワーセーブの動作モードを複数種備えているものもある。（特許文献２参照）
前記印刷装置において、印刷量または消耗品の使用量等を格納する為の不揮発性メモリを備え、電源切断の監視機能により電源切断時に不揮発性メモリに各種データを格納する機能が知られている。また、電源切断の監視機能により上位装置（ホストコンピュータ等）に電源切断を報告する機能を備えた印刷装置が知られている。
【０００３】
一般に、電源を切断（電源入力断）すると、電源内部等に実装されているコンデンサに蓄えられている電荷により、ある微小時間（例えば１００ｍｓ）電源出力が継続する。電源切断処理（不揮発性メモリへの各種データの書き込み、上位装置への電源断の報告等）を備えた印刷装置の場合、電源切断監視機能により電源切断を検出してから電源出力が垂下するまでの前記微小時間（以下、保持時間と表す）中に、前記電源切断処理を行うのが一般的である。
【特許文献１】
特開２００１−２０５８９８号公報
【特許文献２】
特開２００１−８０１６４号公報
【０００４】
【発明が解決しようとする課題】
従来のパワーセーブ機能を備えた印刷装置の場合、電源切断時の状態について規定していない為、電源切断前の装置の状態により通常状態で電源切断される場合もあれば、パワーセーブ中に電源が切断される場合もある。電源切断時の装置状態が確定していない為、電源の消費電力値も確定していない。すなわち、パワーセーブ中の場合は消費電力が小の状態で電源を切断する事になるが、通常状態の場合（パワーセーブ中でない場合）には消費電力が大の状態で電源が切断される事になる。また、複数種のパワーセーブモードを備えている印刷装置の場合にも同様に、電源切断時の消費電力値が確定していない。
【０００５】
一般に、保持時間は電源切断時の消費電力値により決まる。電源切断時の消費電力が小の場合には保持時間が長く（例えば１５０ｍｓ）なり、消費電力が大の場合には保持時間が短く（例えば５０ｍｓ）なる。
【０００６】
したがって、従来のパワーセーブ機能を備えた印刷装置の場合、電源切断時の状態により、保持時間が変動（上記例の場合、５０〜１５０ｍｓ）していた。その為、電源切断時の状態に関わらず電源切断処理の正常動作を保証する為、最短の保持時間（上記例の場合、５０ｍｓ）に合わせて、電源切断処理を終了する必要があった。これにより、不揮発性メモリへの格納データ量を制限する等の問題があった。更に、上位装置への電源切断報告に必要な処理時間が長い場合、電源切断報告に失敗する場合がある等の問題があった。したがって、不揮発性メモリへの格納データ量が多い場合、あるいは上位装置への電源切断報告を確実に実施する必要がある場合等、電源内部等に実装されているコンデンサ容量を増やし保持時間を延長する手段が考えられるが、保持時間の延長は僅少（例えば１０ｍｓ）であり原価上昇も伴う為、得策では無い。また、蓄電池等を備え、上記問題を回避する方法も考えられるが、これも原価上昇となり、更に蓄電池の寿命、製品廃棄時の蓄電池の回収等の問題が発生する。
【０００７】
よって、本発明はパワーセーブ機能を備えた印刷装置において、電源切断時の印刷装置の状態に関わらず、保持時間を一定にする事を課題とする。更に、原価上昇する事なく、保持時間を延長する事を課題とする。
【０００８】
【課題を解決するための手段】
上記課題は、電源切断監視機能により電源切断を検出した際に、パワーセーブモードに移行する事により達成できる。
【０００９】
【発明の実施の形態】
図１に本発明における電源制御方法のフローチャート、図２に印刷装置の全体構成の概略図を示す。図１、図２を用いて本発明における電源制御の実施例を以下に示す。
【００１０】
印刷装置１０は制御部２０、駆動部３０、電源部４０からなり、電源部４０より電源出力４４、パワーセーブ制御部２４を通して各部位に給電される。パワーセーブ制御部２４により、通常状態の場合（パワーセーブでない場合）には全部位に給電され、パワーセーブ中は一部の部位への給電を停止し消費電力の低減を図っている。給電を停止する部位の組み合わせにより、複数種のパワーセーブモードを設定してもよい。（例えば、駆動部Ａ３１、駆動部Ｂ　３２、駆動部Ｃ　３３　への給電有無の組み合わせ）一方、印刷装置１０が電源投入状態にある時は、電源切断監視部４１により、電源切断を常時監視する。電源切断の検出方法は電源入力４２を整流して電圧値を監視する方法や電源スイッチ４３の状態を監視する方法等が考えられる。
【００１１】
次に、電源切断時の印刷装置１０の状態を示す。オペレータが電源スイッチ４３をＯＦＦした場合、電源切断監視部４１により全体制御部２１に電源切断信号４５が伝達される。
【００１２】
全体制御部２１では電源切断信号４５を受信した場合、現在の印刷装置１０の状態、すなわちパワーセーブ中か否かを確認する。パワーセーブ中の場合は直ちに電源切断処理を実行する。具体的には、全体制御部２１により不揮発性メモリ２３に印刷量または消耗品の使用量等を格納したり、通信部２２を通じて上位装置５０へ電源切断の報告を行ったりする。一方、パワーセーブ中でない場合はパワーセーブに切り替え後に電源切断処理に移行する。パワーセーブへの切り替えの際は、駆動部の初期化等、処理を伴うのが一般的である。通常、前記処理は僅少な時間（例えば１０μｓ）で終了する為、保持時間（例えば１５０ｍｓ）に比して無視できる時間である。電源切断処理については、パワーセーブ中と同様である。
【００１３】
以上、パワーセーブモードが１種の場合について示したが、パワーセーブモードが複数種の場合でも同様に制御すればよい。電源切断時に移行するパワーセーブモードに、消費電力が最も小さいモードを選択すれば、保持時間の延長効果が大きくなる。
【００１４】
本発明の電源制御方法を用いる事により、電源切断時の保持時間が一定となり、更に保持時間の延長が可能となる。
【００１５】
【発明の効果】
パワーセーブ機能を備えた印刷装置において、本発明による制御方法を実施する事により、電源切断時の印刷装置の状態に関わらず、保持時間を一定にし、かつ原価上昇する事無く、保持時間を延長する事が可能となる。
【図面の簡単な説明】
【図１】本発明における電源制御例を示すフローチャート。
【図２】印刷装置の全体構成の概念図。
【符号の説明】
１０は印刷装置、２０は制御部、２１は全体制御部、２２は通信部、２３は不揮発性メモリ、２４はパワーセーブ制御部、３０は駆動部、３１は駆動部Ａ、３２は駆動部Ｂ、３３は駆動部Ｃ、４０は電源部、４１は電源切断監視部、４２は電源入力、４３は電源スイッチ、４４は電源出力、４５は電源切断信号、５０は上位装置。
【図１】
2004122431.tif 000003
【図２】
2004122431.tif 000004